(57)【要約】【課題】排水口に通じる表層シートの貫通孔の内壁面に汚れが付着するのを防止することができる、洗場の床構造を提供する。【解決手段】本発明に係る洗場の床構造は、排水口に通じる開口部が形成された床本体と、前記開口部に配置される枠部材と、前記開口部と対応するように貫通孔が形成され、前記枠部材及び床本体を覆う表層シートと、を備え、前記枠部材は、筒状の本体部と、前記本体部から径方向の外方に延びる延在部と、前記延在部において前記本体部側の端部から、前記本体部に沿って上方へ突出する突部と、を備え、前記突部には、上下方向に延び、前記径方向の外方を向く係合面が形成されており、前記表層シートの貫通孔の内壁面が、前記突部の係合面と接するように構成されている。【選択図】図２
2019085768.tif 000002
【特許請求の範囲】
【請求項１】
排水口に通じる開口部が形成された床本体と、
前記開口部に配置される枠部材と、
前記開口部と対応するように貫通孔が形成され、前記枠部材及び床本体を覆う表層シートと、
を備え、
前記枠部材は、
筒状の本体部と、
前記本体部から径方向の外方に延びる延在部と、
前記延在部において前記本体部側の端部から、前記本体部に沿って上方へ突出する突部と、
を備え、
前記突部には、上下方向に延び、前記径方向の外方を向く係合面が形成されており、
前記表層シートの貫通孔の内壁面が、前記突部の係合面と接するように構成されている、洗場の床構造。
【請求項２】
前記突部には、下方にいくにしたがって前記径方向の内方に向かい、前記本体部の内壁面と連続する傾斜面が形成されている、請求項１に記載の洗場の床構造。
【請求項３】
前記突部には、凹凸が形成されている、請求項１または２に記載の洗場の床構造。
【請求項４】
前記表層シートの表面には複数の溝が形成されており、
前記表層シートの溝の底面は、前記突部の上端部よりも高い位置にあるように構成されている、請求項１から３のいずれかに記載の洗場の床構造。
【請求項５】
前記表層シートの下面において、前記貫通孔の周縁は、両面テープにより前記延在部に接着されている、請求項１から４のいずれかに記載の洗場の床構造。
【発明の詳細な説明】
【技術分野】
【０００１】
本発明は、洗場の床構造に関する。
【背景技術】
【０００２】
浴室の洗場の床構造は、一般的に、排水口に通じる開口部が形成された床本体と、この床本体上に配置される表層シートとで、構成されている。表層シートには、開口部に対応する位置に貫通孔が形成されており、表層シートを流れる水は、貫通孔から開口部に流れ込むようになっている（例えば、特許文献１）。
【先行技術文献】
【特許文献】
【０００３】
【特許文献１】特許第５５８２４４４号公報
【発明の概要】
【発明が解決しようとする課題】
【０００４】
しかしながら、上記のような床構造では、表層シートに形成された貫通孔の内壁面が露出するため、この露出部分に汚れが付着するという問題があった。本発明は、この問題を解決するためになされたものであり、排水口に通じる表層シートの貫通孔の内壁面に汚れが付着するのを防止することができる、洗場の床構造を提供することを目的とする。
【課題を解決するための手段】
【０００５】
本発明に係る洗場の床構造は、排水口に通じる開口部が形成された床本体と、前記開口部に配置される枠部材と、前記開口部と対応するように貫通孔が形成され、前記枠部材及び床本体を覆う表層シートと、を備え、前記枠部材は、筒状の本体部と、前記本体部から径方向の外方に延びる延在部と、前記延在部において前記本体部側の端部から、前記本体部に沿って上方へ突出する突部と、を備え、前記突部には、上下方向に延び、前記径方向の外方を向く係合面が形成されており、前記表層シートの貫通孔の内壁面が、前記突部の係合面と接するように構成されている。
【０００６】
この構成によれば、表層シートの貫通孔の内壁面が、枠部材の係合面に接しているため、表層シートの内壁面が係合面によって隠され、汚れが付着するのを防止することができる。また、表層シートの内壁面は、係合面に隙間なく接しているため、表層シートと枠部材との間に水が溜まるのを防止することができる。
【０００７】
上記洗場の床構造において、前記突部には、下方にいくにしたがって前記径方向の内方に向かい、前記本体部の内壁面と連続する傾斜面を形成することができる。これにより、表層シートから流れる水をスムーズに開口部へ導くことができる。
【０００８】
上記洗場の床構造において、前記突部には、凹凸を形成することができる。これにより、洗場を流れる水が一箇所に溜まるのを防止でき、広がるようにすることができる。
【０００９】
上記洗場の床構造において、前記表層シートの表面には複数の溝を形成することができ、前記表層シートの溝の底面は、前記突部の上端部よりも高い位置にあるように構成することができる。
【００１０】
この構成によれば、表層シートに形成された溝により、水の流れが促進されるが、表層シートの溝の底面が、係合面の上端部よりも高い位置にあるため、溝を流れる水を、係合面に衝突することなく、突部を越えてスムーズに開口部に流れ込ませることができる。
【００１１】
上記洗場の床構造では、前記表層シートの下面において、前記貫通孔の周縁は、両面テープにより前記延在部に接着することができる。
【発明の効果】
【００１２】
本発明に係る洗場の床構造によれば、排水口に通じる表層シートの貫通孔の内壁面に、汚れが付着するのを防止することができる。
【図面の簡単な説明】
【００１３】
【図１】本発明の一実施形態に係る床構造の平面図である。
【図２】図１のＡ−Ａ線断面図である。
【図３】図１のＢ−Ｂ線断面図である。
【図４】表層シートと係合面との係合状態を示す断面図である。
【図５】本発明の洗場の床構造の他の例を示す平面図である。
【発明を実施するための形態】
【００１４】
以下に、本発明に係る洗場の床構造の一実施形態について、図面を参照しつつ説明する。図１は床構造の平面図、図２は図１のＡ−Ａ線断面図、図３は図１のＢ−Ｂ線断面図である。
【００１５】
＜１．床構造の概要＞
図１に示すように、この床構造は、浴室の床の基礎となる床本体１と、この床本体１上に配置される枠部材２及び表層シート３と、を備えている。床本体１には、排水口に通じる矩形状の開口部１０が形成されており、この開口部１０に、上述した枠部材２が嵌め込まれている。また、床本体１の開口部１０以外の部分に、表層シート３が配置されている。以下、各部材について、詳細に説明する。
【００１６】
床本体１は、長方形状の開口部１０が形成された基礎部１１と、この基礎部１１上で開口部１０の周囲を囲むように配置された基台部１２と、を備えている。基礎部１１において、開口部１０の周囲には平坦面が形成されており、この平坦面を囲むように基台部１２が配置されている。基台部１２は、基礎部１１の平坦面から立ち上がり、開口部１０の外周と対応するように形成された内壁面１２１と、この内壁面１２１の上端から概ね水平方向に延びる上面１２２とを有している。これら基礎部１１や基台部１２は、ＦＲＰ等の熱可塑性樹脂や、補強されたポリプロピレン、ポリエチレン等の熱可塑性樹脂などで形成されている。
【００１７】
次に、枠部材２について説明する。図２に示すように、枠部材２は、床本体１の開口部１０に嵌め込まれる角筒状の本体部２１と、この本体部２１の上端からやや上方に傾斜しながら外方（径方向外方）へ延びる延在部２２と、を備えており、これらが樹脂材料により一体的に形成されている。ここでは、本体部２１の延びる方向、言い換えると上下に延びる軸方向において、洗い場側を上とし、図示しない排水トラップへの接続側を下とする。本体部２１は、開口部１０の長辺に沿う一対の第１壁部２１１と、開口部１０の短辺に沿う一対の第２壁部２１２と、が連結されることで形成されている。第１壁部２１１は、下方から上方に向かって、第１部位２１１１、第２部位２１１２、及び第３部位２１１３が連結されることで形成されている。第１部位２１１１は、開口部１０に挿入される部位であり、上下方向に延びている。第２部位２１１２は、第１部位２１１１の上端から連続的に延び、上方にいくにしたがって外方に延びるようにやや傾斜している。そして、第３部位２１１３は、第２部位２１１２の上端から上方に向かって延びている。なお、径方向とは、角筒状である本体部２３の上下方向に延びる軸を基準とした方向である。
【００１８】
一方、図３に示すように、第２壁部２１２は、下方から上方に向かって、第１部位２１２１、第２部位２１２２、第３部位２１２３、及び第４部位２１２４が連結されることで形成されている。第２壁部２１２の第１部位２１２１及び第２部位２１２２は、第１壁部２１１の第１部位２１１１及び第２部位２１１２と対応し、これらに連結されている。すなわち、第２壁部２１２の第１部位２１２１は上下方向に延び、第２部位２１２２は外方に向かってやや傾斜するように延びている。第２壁部２１２の第３部位２１２３は概ね水平方向に延び、その端部から第４部位２１２４が上方に向かって延びている。したがって、第３部位２１２３は段を形成しており、この第３部位２１２３に後述するように、排水蓋５の脚部５１が配置される。
【００１９】
次に、延在部２２について説明する。延在部２２は、本体部２１を囲むように、本体部２１の上端から概ね水平方向に延びるように板状に形成されている。延在部２２の内周縁と本体部２１の上端部との連結部分には、平面視矩形状に形成され、上方に突出する突部２３が設けられている。この突部２３は、本体部２１を囲むように、平面視矩形状に設けられている。また、この突部２３は、本体部２１の内壁面から上方にいくにしたがって、外方に滑らかに延びる傾斜面２３１と、この傾斜面２３１の上端から下方に延びる係合面２３２と、を有している。すなわち、傾斜面２３１が開口部１０側（径方向内方）を向き、係合面２３２が外側（径方向外方）を向く。そして、延在部２２の上面２２１は、この突部２３の係合面２３２の下端から上方に向かってやや傾斜するように外方に延びるように形成されている。なお、延在部２２の上面２２１からの係合面２３２の高さは、例えば、０．９〜１．３ｍｍとすることができる。
【００２０】
次に、表層シート３について説明する。表層シート３は、樹脂材料などにより形成され、開口部１０と対応するような平面視長方形状の貫通孔３１が形成されている。そして、この貫通孔３１以外の部分が、枠部材２の延在部２２及び基台部１２の上面１２２に配置される。より詳細には、この貫通孔３１の内周縁は、上述した延在部２２の突部の係合面に接するように構成されている。特に、貫通孔３１の内壁面の内径は、係合面２３２の外径よりもやや小さくなっている。そのため、表層シート３の貫通孔３１は弾性により拡張された状態で、係合面２３２に取付けられる。そのため、貫通孔３１の内壁面は、係合面２３２に隙間なくしっかりと接するようになっている。
【００２１】
表層シート３は、延在部２２の上面において、係合面に沿うように配置された両面テープ４により延在部２２に固定されている。また、基台部１２の上面１２２に対しては、両面テープにより固定されている。
【００２２】
表層シート３の厚みは、延在部２２の係合面２３２の高さよりもやや大きくなっており、例えば、２．８ｍｍとすることができる。また、表層シート３の表面には、格子状の溝３２が形成されており、この溝３２の底面が、係合面２３２の上端よりも高い位置になるように形成されている。ここで、溝３２の深さは、例えば、０．９５〜１．０５ｍｍとすることができ、溝３２の底面と係合面２３２の上端との上下方向の高さの差Ｄは、例えば、０．０〜０．１ｍｍとすることができる（図４参照）。
【００２３】
なお、表層シート３は、洗場の用途に要求される耐水性、耐薬品性、耐摩耗性、耐衝撃性等を有する材料で形成されることが好ましく、例えば、ＰＶＣ、ポリプロピレン、ポリエチレン、ウレタン樹脂、ポリエステル樹脂など、各種の材料で形成することができる。
【００２４】
以上のように構成された枠部材２には、排水蓋５が配置される。この排水蓋５は、枠部材２の本体部２１の内部空間に配置されるように、平面視長方形状に形成されている。そして、長手方向の両側の下面には脚部５１が設けられており、この脚部５１が、本体部２１の第２壁部２１２の第３部位２１２３上に載るようになっている。
【００２５】
＜２．特徴＞
上記のように構成された床構造では、次のような利点がある。
（１）表層シート３の貫通孔３１の内壁面が、枠部材２の係合面２３２に接しているため、表層シート３の内壁面が係合面２３２によって隠され、汚れが付着するのを防止することができる。また、表層シート３の内壁面は、係合面２３２に隙間なく接しているため、表層シート３と枠部材２との間に隙間が生じるのを防止でき、これによって、表層シート３と枠部材２との間に水が溜まるのを防止することができる。
【００２６】
（２）突部２３には、下方にいくにしたがって内方、言い換えると開口部１０の中心に向かい、本体部２１の内壁面と連続する傾斜面２３１が形成されているが、これにより、表層シート３から流れる水をスムーズに開口部１０へ導くことができる。
【００２７】
（３）表層シート３に形成された溝３２により、水の流れが促進されるが、図４に示すように、表層シート３の溝３２の底面が、係合面２３２の上端よりも高い位置にあるため、溝３２を流れる水を、係合面２３２に衝突することなく、突部２３を越えてスムーズに開口部１０に流れ込ませることができる。
【００２８】
＜３．変形例＞
以上、本発明の一実施形態について説明したが、本発明は、上記実施形態に限定されるものではなく、その趣旨を逸脱しない限りにおいて、種々の変更が可能である。以下、変形例について説明する。但し、以下の変形例は適宜組合せ可能である。
【００２９】
＜３−１＞
上記実施形態では、床本体１が、基礎部１１と基台部１２とで構成されているが、床本体１の構成は特には限定されない。すなわち、少なくとも排水口に通じる開口部１０が形成され、この開口部１０に枠部材２が嵌め込まれるとともに、枠部材２の延在部２２と床本体１の上面１２２とに表層シート３が配置できるような構造であればよい。
【００３０】
＜３−２＞
枠部材２の本体部２１の形状は、特には限定されず、筒状であればよく、例えば円筒状や角筒状であってもよい。例えば、排水口に通じる開口部１０の形状に合わせて形成することができる。したがって、開口部１０の形状も角筒状のほか、円筒状、楕円状など種々の形態がある。また、排水蓋５が配置される第３部位２１２３のような段部は、本体部２１の少なくとも一部に設けられていればよい。あるいはこのような段部を設けない構造であってもよい。
【００３１】
また、枠部材２の表面にブラスト加工を施し、微細な凹凸が形成された梨地状に形成することができる。これにより、枠部材２上、特に突部２３上に水が留まるのを防止でき、水を広げるようにすることができる。その結果、突部２３から開口部１０へと水をスムーズに流すことができる。
【００３２】
＜３−３＞
枠部材２の突部２３の位置は特には限定されず、上記実施形態のように、本体部２１と延在部２２との連結部分付近であってもよいし、ここから外側に多少ずれていてもよい。すなわち、上記実施形態のように、突部と本体部の内壁面とを連続的に結ぶ傾斜面が形成されないようにすることもでき、これらの間に段が形成されてもよい。
【００３３】
また、枠部材２の延在部２２には、両面テープ４を配置するための凹部を設けることもできる。
【００３４】
＜３−４＞
表層シート３には格子状の溝３２が設けられているが、これ以外の凹凸であってもよい。また、このような凹凸を設けない平坦面であってもよい。また、表層シート３の厚みは、係合面２３２とほぼ同じであればよく、上記実施形態のように、係合面２３２よりもやや高くてもよい。
【００３５】
＜３−５＞
上記実施形態では、開口部１０の周囲を覆うように、枠部材２の本体部２１が筒状に形成され、表層シート３には閉じた貫通孔３１が形成されている。しかしながら、例えば、図５に示すように、開口部１０が、浴室の壁面や浴槽に接している場合には、枠部材２の本体部２１は一部が開放された筒状に形成される。これに合わせて延在部２２及び突部２３も、平面視において、一部が開口された本体部２１に沿って形成される。また、表層シート３の貫通孔３１も閉じた貫通孔ではなく、一部が開放された貫通孔となる。したがって、本発明に係る本体部の筒状及び表層シートの貫通孔は、閉じたものだけでなく、一部が開放されたものも含み得る。
【符号の説明】
【００３６】
１  床本体
２  枠部材
２１  本体部
２２  延在部
２３  突部
２３１  傾斜面
２３２  係合面
３  表層シート
３１  貫通孔
３２  溝
【図１】
2019085768.tif 000003
【図２】
2019085768.tif 000004
【図３】
2019085768.tif 000005
【図４】
2019085768.tif 000006
【図５】
2019085768.tif 000007